(57)【特許請求の範囲】
【請求項１】
棒金を収納するドロワと、
前記ドロワに収納された棒金を検知するセンサと、
前記ドロワの開閉を検知するドロワセンサと、
前記センサが検知した棒金の金種と数量とを格納する記憶装置と、
前記ドロワの開放時より減少した棒金の金種と数量とを収納されている現金を管理する本体装置に棒金出金情報として送信し、前記本体装置は前記棒金が取り出されたことを検知した時から閾値時間内に前記棒金出金情報に対応した硬貨が硬貨の金種と数量とを管理する硬貨管理装置に投入されたと判定しない場合、コントローラに硬貨の投入が完了していない旨を送信する、制御部と、
を備える棒金管理装置。
【請求項２】
前記本体装置は、
金種ごとに前記閾値を格納する
請求項１記載の棒金管理装置。
【請求項３】
前記本体装置は、
棒金が収納される位置ごとに前記閾値を格納する
請求項１記載の棒金管理装置。
【請求項４】
棒金を収納するドロワと、
前記ドロワに収納された棒金を検知するセンサと、
前記ドロワの開閉を検知するドロワセンサと、
前記センサが検知した棒金の金種と数量とを格納する記憶装置と、
を備える棒金管理装置を、
前記ドロワの開放時より減少した棒金の金種と数量とを収納されている現金を管理する本体装置に棒金出金情報として送信する出金送信手段として機能させ、
前記本体装置を、
前記棒金が取り出されたことを検知した時から閾値時間内に前記棒金出金情報に対応した硬貨が硬貨の金種と数量とを管理する硬貨管理装置に投入されたと判定しない場合、コントローラに硬貨の投入が完了していない旨を送信する警報送信手段として機能させるための棒金管理プログラム。
【請求項５】
棒金を収納するドロワと、前記ドロワに収納された棒金を検知するセンサと、前記ドロワの開閉を検知するドロワセンサと、前記センサが検知した棒金の金種と数量とを格納する記憶装置と、前記ドロワの開放時より減少した棒金の金種と数量とを棒金出金情報として送信する制御部と、を備える棒金管理装置と、
前記棒金が取り出されたことを検知した時から閾値時間内に前記棒金出金情報に対応した硬貨が硬貨の金種と数量とを管理する硬貨管理装置に投入されたと判定しない場合、コントローラに硬貨の投入が完了していない旨を送信する本体装置と、
を備える棒金管理システム。
【請求項６】
前記本体装置は、
金種ごとに前記閾値を格納する
請求項５記載の棒金管理システム。
【発明の詳細な説明】
【技術分野】
【０００１】
本発明の実施形態は、棒金管理装置、棒金管理プログラム及び棒金管理システムに関する。
【背景技術】
【０００２】
ＰＯＳ（Ｐｏｉｎｔ  Ｏｆ  Ｓａｌｅｓ）端末などの金銭管理装置においては、現在いくらの現金がその端末に格納されているかを把握し、かつその把握した金額と実際に格納されている現金とが正確に合っていることが重要である。
【０００３】
そこで、金銭管理装置は、預かり銭及び釣銭を計算管理する本体部と、紙幣を格納して管理する紙幣管理装置と、硬貨を格納して管理する硬貨管理装置と、硬貨を所定枚数ずつ包装した、いわゆる棒金を格納して管理する棒金管理装置と、を備え、金種ごとの数と合計金額とを計算するように構成されている。
【０００４】
オペレータは特定の硬貨が不足すると棒金管理装置から不足した棒金を取り出し、開封して硬貨管理装置に投入する。
【０００５】
従って、金銭管理装置が格納している現金の金額を把握するためには、棒金についても金種ごとの数量を把握する必要がある。
【０００６】
この点に関し、オペレータによって金銭管理装置に棒金出金要求が入力された場合、必要な棒金の出金のみを許可する棒金管理装置が提案されている。
【０００７】
しかし、棒金が出金されたにもかかわらず、その硬貨が硬貨管理装置に投入されない場合には対処ができない。
【先行技術文献】
【特許文献】
【０００８】
【特許文献１】特開２０１０−２８２２９０号公報
【発明の概要】
【発明が解決しようとする課題】
【０００９】
従って、棒金が出金された場合、その硬貨が全て硬貨管理装置に投入されたことを監視できる棒金管理装置、棒金管理プログラム及び棒金管理システムが求められている。
【課題を解決するための手段】
【００１０】
上記の課題を解決するために、本発明の一実施形態は、棒金を収納するドロワと、ドロワに収納された棒金を検知するセンサと、ドロワの開閉を検知するドロワセンサと、センサが検知した棒金の金種と数量とを格納する記憶装置と、ドロワの開放時より減少した棒金の金種と数量とを収納されている現金を管理する本体装置に棒金出金情報として送信し、本体装置は前記棒金が取り出されたことを検知した時から閾値時間内に棒金出金情報に対応した硬貨が硬貨の金種と数量とを管理する硬貨管理装置に投入されたと判定しない場合、コントローラに硬貨の投入が完了していない旨を送信する、制御部と、を備える棒金管理装置を提供する。
【図面の簡単な説明】
【００１１】
【図１】棒金管理装置を備える金銭管理装置の外観斜視図である。
【図２】棒金管理装置の外観斜視図である。
【図３】ドロワを引き出した状態の棒金管理装置の外観斜視図である。
【図４】横溝部及び縦溝部の正面断面図である。
【図５】横溝部及び縦溝部の側面断面図である。
【図６】金銭管理装置の構成を示すブロック図である。
【図７】金銭管理装置の動作を示すフローチャートである。
【図８】アラーム画面の例を示す図である。
【発明を実施するための形態】
【００１２】
以下、棒金管理装置、棒金管理プログラム、及び棒金管理システムの一実施形態について、図面を用いて詳細に説明する。
【００１３】
本実施形態の棒金管理装置は、棒金を収納するドロワと、ドロワに収納された棒金を検知するセンサと、ドロワの開閉を検知するドロワセンサと、センサが検知した棒金の金種と数量とを格納する記憶装置と、ドロワの開放時より減少した棒金の金種と数量とを収納されている現金を管理する本体装置に棒金出金情報として送信し、本体装置は前記棒金が取り出されたことを検知した時から閾値時間内に棒金出金情報に対応した硬貨が硬貨の金種と数量とを管理する硬貨管理装置に投入されたと判定しない場合、コントローラに硬貨の投入が完了していない旨を送信する、制御部と、を備える。
【００１４】
図１は、本実施形態の棒金管理装置２０を備える金銭管理装置１の外観斜視図である。図１に示すように、ＰＯＳ（Ｐｏｉｎｔ  Ｏｆ  Ｓａｌｅｓ）端末などの金銭管理装置１は、紙幣を格納し、紙幣の金種ごとの数量を計数管理する紙幣管理装置１３と、硬貨を格納し、硬貨の金種ごとの数量を計数管理する硬貨管理装置１２と、バーコードスキャナ２２を備え、金種ごとに所定枚数ずつ包装された硬貨（以下、棒金という。）の金種ごとの数量をバーコードスキャナ２２によって読み取ることにより計数管理する棒金管理装置２０と、ディスプレイ１１Ｄを備え、紙幣管理装置１３、硬貨管理装置１２及び棒金管理装置２０の出力から格納されている現金の合計金額を算出し、ディスプレイ１１Ｄに表示する本体装置１１と、を備える。
【００１５】
本体装置１１は、金銭管理装置１がＰＯＳ端末の場合は、売上金額と預かり金額とから釣銭を計算する。
【００１６】
また、本体装置１１は、金種ごとの数量を格納する金種テーブル１１Ａを備える。
【００１７】
紙幣管理装置１３は本体装置１１に接続される。紙幣管理装置１３は、紙幣投入孔と紙幣排出孔とを備え、紙幣投入孔から投入された紙幣を金種ごとに格納し、投入された紙幣の金種ごとの数量を本体装置１１に送信する。
【００１８】
硬貨管理装置１２は紙幣管理装置１３に接続される。硬貨管理装置１２は、硬貨投入孔と硬貨排出孔とを備え、硬貨投入孔から投入された硬貨を金種ごとに格納し、投入された硬貨の金種ごとの数量を、紙幣管理装置１３を経由して本体装置１１に送信する。
【００１９】
従って、本体装置１１は紙幣管理装置１３及び硬貨管理装置１２の出力から預かり金額の合計を算出することが可能となる。
【００２０】
本体装置１１は、預かり金額から売上金額を差し引き、釣銭を算出する。本体装置１１は、さらに釣銭として支払う金種ごとの枚数を計算し、硬貨管理装置１２及び紙幣管理装置１３に出金指示する。この出金指示の送信の際、本体装置１１は出金する金種ごとの数量を金種テーブル１１Ａの各数量から差し引く。
【００２１】
図２は、棒金管理装置２０の外観斜視図である。図３は、ドロワ２１を引き出した状態の棒金管理装置２０の外観斜視図である。
【００２２】
図２及び図３に示すように、棒金管理装置２０は棒金を格納するドロワ２１と、ドロワ２１を収納する格納部２０Ａと、を備える。
【００２３】
ドロワ２１は、ドロワ２１の幅方向に棒金を収納する横溝部２３と、ドロワ２１の引き出し方向に棒金を収納する縦溝部２４と、を備える。
【００２４】
図４は、横溝部２３及び縦溝部２４の正面断面図である。図５は、横溝部２３及び縦溝部２４の側面断面図である。
【００２５】
図４及び図５に示すように、横溝部２３及び縦溝部２４は溝内部の底面部にセンサ４１を備える。センサ４１は、例えば磁気センサ又は光センサを用いることができる。
【００２６】
磁気センサは、磁束の変化により金属の種類に応じた電圧を出力する。硬貨は金種ごとに金属の組成が異なる。従って、棒金管理装置２０は磁気センサの出力に基づいて棒金の有無及び金種を判定できる。
【００２７】
光センサは、発光素子と受光素子を備え、受光素子は棒金が反射する発光素子からの光を受光し、光の強度に応じた電圧を出力する。従って、棒金の金種ごとの収納位置を決めておけば、棒金管理装置２０は光センサの出力に基づいて棒金の有無及び金種を判定できる。
【００２８】
図６は、金銭管理装置１の構成を示すブロック図である。図６に示すように、金銭管理装置１は、本体装置１１と、紙幣管理装置１３と、硬貨管理装置１２と、棒金管理装置２０と、を備える。
【００２９】
本体装置１１は、ＣＰＵ（Central Processing Unit）などの演算装置６７と、メモリ、ハードディスクドライブなどの記憶装置６８と、通信を行う通信インターフェース（以下、インターフェースをＩ／Ｆという。）６６と、を備える。
【００３０】
本体装置１１は、通信Ｉ／Ｆ６６を介して、紙幣管理装置１３及び上位機器であるコントローラ６９と接続される。
【００３１】
棒金管理装置２０は、ＣＰＵなどの制御部６２と、メモリ、ハードディスクドライブなどの記憶装置６３と、通信を行う通信Ｉ／Ｆ６１と、センサ４１と、ドロワ２１の開閉を検知するドロワセンサ６５と、を備える。
【００３２】
ドロワ２１に収納されている棒金４０の検知は、ドロワ２１が開閉される度に行われ、その検知結果は紙幣管理装置１３を介して本体装置１１に送信される。
【００３３】
棒金４０がドロワ２１から出金され、開封されて硬貨管理装置１２に投入された場合、硬貨管理装置１２は硬貨の金種と枚数とを紙幣管理装置１３を介して本体装置１１に送信するとともに、金種テーブル１１Ａを更新する。
【００３４】
本体装置１１は、出金された棒金４０の金種と枚数とが、硬貨管理装置１２に投入された金種及び枚数と合っているかを判定し、閾値時間内に合っていると判定できなかった場合にエラー通知を本体装置１１の親機であるコントローラに送信する。
【００３５】
ここで、この閾値時間について説明する。閾値時間は、平均的なオペレータが、棒金を取り出してから硬貨を硬貨管理装置１２に投入し、硬貨管理装置１２が投入された硬貨の計数を終了するまでの時間である。
【００３６】
また、この閾値時間は、平均的なオペレータが、ドロワ２１を開けてから硬貨を硬貨管理装置１２に投入し、硬貨管理装置１２が投入された硬貨の計数を終了するまでの時間としてもよい。
【００３７】
閾値時間は、金種ごとに設定できる。また、閾値時間は、棒金の収納位置ごとに設定できる。手前側よりも奥側の棒金は取り出すのにより多くの時間がかかるからである。
【００３８】
閾値時間は記憶装置６３に格納される。
【００３９】
図７は、金銭管理装置１の動作を示すフローチャートである。図７に示すように、動作７０１において、金銭管理装置１は棒金が取り出されたかを判定する。
【００４０】
棒金管理装置２０はドロワ２１が開けられたことを検知した場合、センサ４１により棒金をスキャンし、ドロワ２１の収納されている棒金の金種と数量を記憶装置６３に格納する。
【００４１】
棒金管理装置２０はドロワ２１が閉められたことを検知するまで、一定時間ごと、例えば、０．１秒ごとにセンサ４１によって棒金をスキャンし、その結果と、ドロワ２１の開放時の状態とを比較する。
【００４２】
棒金管理装置２０は、ドロワ２１の開放時より減少した棒金の金種と数量とを本体装置１１に棒金出金情報として送信する。
【００４３】
本体装置１１は、この棒金出金情報を受信したと判定した場合、棒金が取り出されたと判定して、動作７０２に進み、取り出されたと判定しない場合、動作７０１に戻る。
【００４４】
動作７０２において、本体装置１１はタイマをスタートさせる。
【００４５】
動作７０３において、本体装置１１は、タイマの経過時間が閾値時間を超えたかを判定する。本体装置１１は、タイマの経過時間が閾値時間を超えたと判定した場合、動作７０４に進み、超えたと判定しない場合、動作７０３に戻る。
【００４６】
動作７０４において、本体装置１１は、棒金出金情報に対応する硬貨の硬貨管理装置１２への投入が完了したかを判定する。本体装置１１は、棒金出金情報に対応する硬貨の硬貨管理装置１２への投入が完了したと判定した場合、処理を終了し、完了したと判定しない場合、動作７０５に進む。
【００４７】
動作７０５において、本体装置１１はディスプレイ１１Ｄにアラームを表示させる。
【００４８】
動作７０６において、本体装置１１はコントローラに、金銭管理装置のＩＤと、投入効果が不足している旨、及び不足している硬貨の金種と枚数とを送信する。
【００４９】
図８は、アラーム画面の例を示す図である。図８に示すように、金銭管理装置１は、閾値時間内に棒金出金情報に対応する硬貨の硬貨管理装置１２への投入が完了していないと判定した場合、不足している硬貨の金種及び、投入が未完である旨を表示し、投入を促す。
【００５０】
以上のべたように、本実施形態の棒金管理装置２０は、棒金を収納するドロワ２１と、ドロワ２１に収納された棒金を検知するセンサ４１と、ドロワ２１の開閉を検知するドロワセンサ６５と、センサ４１が検知した棒金の金種と数量とを格納する記憶装置６３と、ドロワ２１の開放時より減少した棒金の金種と数量とを収納されている現金を管理する本体装置１１に棒金出金情報として送信し、本体装置１１は閾値時間内に棒金出金情報に対応した硬貨が硬貨の金種と数量とを管理する硬貨管理装置に投入されたと判定しない場合、コントローラに硬貨の投入が完了していない旨を送信する、制御部６２と、を備える。
【００５１】
従って、棒金が出金された場合、その硬貨が全て硬貨管理装置に投入されたことを監視できるという効果がある。
【００５２】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１１：本体装置
１２：硬貨管理装置
１３：紙幣管理装置
２０：棒金管理装置
２１：ドロワ
４１：センサ
【図１】
0005564542.tif 000002
【図２】
0005564542.tif 000003
【図３】
0005564542.tif 000004
【図４】
0005564542.tif 000005
【図５】
0005564542.tif 000006
【図６】
0005564542.tif 000007
【図７】
0005564542.tif 000008
【図８】
0005564542.tif 000009